(57)【要約】【課題】  ウェブ上のＧＩＳ機能で簡易な分析を行い、更に、パッケージソフトのＧＩＳ機能を用いて高度な分析が為されていれば、その詳細分析を関連情報としてウェブ上で提供を受けることができる地図情報システムを提供する。【解決手段】  ＧＩＳ Ｗｅｂサーバ１は、その簡易ＧＩＳ機能によって簡易分析を行って簡易地図情報を作成し、クライアント５の高度ＧＩＳ機能による高度分析結果に基づき高度地図情報を作成し、高度地図情報の格納先を地図情報対応テーブルで管理し、高度分析コメントも対応付けて記憶するようにしているので、簡易分析に基づく簡易地図情報から高度分析に基づく高度地図情報及び高度分析コメントも参照でき、効率的な販売戦略等の立案を行うことができるものである。【選択図】        図１
2005107103.tif 000002
【特許請求の範囲】
【請求項１】
統計データを格納する統計データベースと、
地図の画像データ、作成された地図情報を格納する地図情報データベースと、
店舗情報を格納する店舗データベースと、
顧客情報を格納する顧客データベースと、
統計データ、顧客情報又は／及び売上情報に基づいて高度分析を行い、高度分析結果及び分析に用いた分析データをアップロードする高度クライアントと、
簡易分析を依頼し、当該簡易分析結果に基づく簡易地図情報の表示が為される簡易クライアントと、
前記高度クライアントからアップロードされた高度分析結果に基づいて前記地図情報データベースの地図の画像データを用いて高度地図情報を作成し、当該高度地図情報を前記地図情報データベースに格納すると共に、前記アップロードされた分析データとなる統計データ、店舗データ、顧客データを対応する前記統計データベース、前記店舗データベース、前記顧客データベースに格納し、前記高度地図情報の格納先と高度分析に用いられた分析データとを地図情報対応テーブルに設定し、簡易分析機能を備えて簡易分析を行い、当該簡易分析結果に基づいて前記地図情報データベースの地図の画像データを用いて簡易地図情報を作成し、当該簡易分析に用いられた分析データから前記地図情報対応テーブルを参照して該当する分析データがあれば、当該分析データに対応する高度地図情報の格納先を読み取って前記高度地図情報を前記簡易クライアントに表示出力するサーバとを有することを特徴とする地図情報システム。
【請求項２】
高度クライアントは、高度分析に伴う高度分析コメントをサーバにアップロードし、
サーバは、前記高度クライアントからアップロードされた高度分析コメントを地図情報対応テーブルにおける高度地図情報の格納先に対応付けて格納し、簡易クライアントに高度地図情報を表示出力する際に、前記高度分析コメントも表示出力することを特徴とする請求項１記載の地図情報システム。
【請求項３】
簡易クライアントは、高度分析の結果に対して条件を設定し、
サーバは、前記簡易クライアントから設定された条件に従って高度地図情報を作成し、前記簡易クライアントに作成した高度地図情報を表示出力することを特徴とする請求項１又は２記載の地図情報システム。
【請求項４】
サーバは、簡易地図情報を作成するのに統計データベースの統計データ、地図情報データベースの地図の画像データ又は／及び高度クライアントからアップロードされてデータベースに格納された分析データを利用し、高度地図情報を作成するのに高度分析結果と、前記統計データ、前記画像データ又は／及び前記データベースに格納された分析データを利用することを特徴とする請求項１乃至３記載の地図情報システム。
【請求項５】
高度クライアントは、デシル分析、ＲＦＭ分析、重回帰分析又はハフモデルを用いた売上予測の高度分析を行うことを特徴とする請求項１乃至４記載の地図情報システム。
【請求項６】
サーバは、
簡易クライアントから簡易分析を依頼されると、当該依頼に基づいて簡易分析を行う簡易分析手段と、
前記簡易分析手段における簡易分析結果又は高度クライアントからアップロードされた高度分析結果に基づき統計データベースの統計データ又は／及び地図情報データベースの地図の画像データを用いて簡易地図情報又は高度地図情報を作成して前記簡易クライアント又は前記高度クライアントに表示出力する地図情報作成・表示手段と、
前記アップロードされた高度分析結果となる統計データ、店舗データ又は／及び顧客データを対応する前記統計データベース、前記店舗データベース、前記顧客データベースに格納し、前記作成された高度地図情報を前記地図情報データベースに格納すると共に、前記高度地図情報の格納先と当該高度分析結果に用いられた分析データとを地図情報対応テーブルに設定する地図情報記憶制御手段とを有し、
前記地図情報作成・表示手段は、前記簡易分析に用いられたデータから前記地図情報対応テーブルを参照して該当する分析データがあれば、当該分析データに対応する高度地図情報の格納先を読み取って前記高度地図情報を前記簡易クライアントに表示出力するものであることを特徴とする地図情報システム。
【請求項７】
サーバにおける地図情報記憶制御手段は、
高度クライアントからアップロードされた高度分析コメントを地図情報対応テーブルにおける高度地図情報の格納先に対応付けて格納し、簡易クライアントに高度地図情報を表示出力する際に、前記高度分析コメントも表示出力するものであることを特徴とする請求項６記載の地図情報システム。
【発明の詳細な説明】
【技術分野】
【０００１】
本発明は、地図情報を利用した商業的分析等を行うシステムに係り、特にウェブとパッケージソフトを効果的に融合して分析等を高性能に行う地図情報システムに関する。
【背景技術】
【０００２】
従来、位置情報をキーとして様々な情報を管理・統合し、地図情報として視覚化して、問題解決のための支援システムに、地図情報システム（ＧＩＳ：Geographic Information System）がある。
そして、当該システムを実現するものとしてパッケージでソフトウェアが配布され、パッケージソフトをユーザのコンピュータにインストールしてＧＩＳ機能を実現するようになっていた。
また、最近、ＧＩＳの簡易な機能をウェブ上で提供するサービスもある。
【０００３】
地図上に情報を表示するものとしては、地図データと、公的な統計データとを備え、サーバが、ネットワークを介して接続されたユーザからの要求に応じて、目的にあった公的統計データを所望の地図に重ねて作成し、ユーザ端末に主題図を表示するシステムやサービスがある（特許文献１参照）。尚、このシステムにおいては、公的統計データの他に、ユーザが独自に取得した顧客住所データ等の私的統計データをサーバに登録しておき、地図上に公的統計データと共に私的統計データを重ねて主題図を作成することも可能となっている。
【０００４】
【特許文献１】特開２００１−２２９１８６号公報（第３−５頁）
【発明の開示】
【発明が解決しようとする課題】
【０００５】
しかしながら、上記従来のパッケージソフトによる地図情報システムでは、各コンピュータでＧＩＳを用いて商業的分析を行っても、分析データを広域に渡って共有して活用するものとはなっておらず、また、ウェブ上で提供されるＧＩＳ機能のサービスでは簡易であるため、高度な分析ができないという問題点があった。
【０００６】
本発明は上記実情に基づいて為されたものであり、ウェブ上のＧＩＳ機能で簡易な分析を行い、更に、パッケージソフトのＧＩＳ機能を用いて高度な分析が為されていれば、その詳細分析を関連情報としてウェブ上で提供を受けることができる地図情報システムを提供することを目的とする。
【課題を解決するための手段】
【０００７】
上記従来例の問題点を解決するための本発明は、地図情報システムにおいて、統計データを格納する統計データベースと、地図の画像データ、作成された地図情報を格納する地図情報データベースと、店舗情報を格納する店舗データベースと、顧客情報を格納する顧客データベースと、統計データ、顧客情報又は／及び売上情報に基づいて高度分析を行い、高度分析結果及び分析に用いた分析データをアップロードする高度クライアントと、簡易分析を依頼し、当該簡易分析結果に基づく簡易地図情報の表示が為される簡易クライアントと、高度クライアントからアップロードされた高度分析結果に基づいて地図情報データベースの地図の画像データを用いて高度地図情報を作成し、当該高度地図情報を地図情報データベースに格納すると共に、アップロードされた分析データとなる統計データ、店舗データ、顧客データを対応する統計データベース、店舗データベース、顧客データベースに格納し、高度地図情報の格納先と高度分析に用いられた分析データとを地図情報対応テーブルに設定し、簡易分析機能を備えて簡易分析を行い、当該簡易分析結果に基づいて地図情報データベースの地図の画像データを用いて簡易地図情報を作成し、当該簡易分析に用いられた分析データから地図情報対応テーブルを参照して該当する分析データがあれば、当該分析データに対応する高度地図情報の格納先を読み取って高度地図情報を簡易クライアントに表示出力するサーバとを有することを特徴とする。
【０００８】
本発明は、上記地図情報システムにおいて、高度クライアントは、高度分析に伴う高度分析コメントをサーバにアップロードし、サーバは、高度クライアントからアップロードされた高度分析コメントを地図情報対応テーブルにおける高度地図情報の格納先に対応付けて格納し、簡易クライアントに高度地図情報を表示出力する際に、高度分析コメントも表示出力することを特徴とする。
【０００９】
本発明は、上記地図情報システムにおいて、簡易クライアントは、高度分析の結果に対して条件を設定し、サーバは、簡易クライアントから設定された条件に従って高度地図情報を作成し、前記簡易クライアントに作成した高度地図情報を表示出力することを特徴とする。
【００１０】
本発明は、上記地図情報システムにおいて、サーバは、簡易地図情報を作成するのに統計データベースの統計データと地図情報データベースの地図の画像データ又は／及び高度クライアントからアップロードされてデータベースに格納された分析データを利用し、高度地図情報を作成するのに高度分析結果と、統計データ、画像データ又は／及びデータベースに格納された分析データを利用することを特徴とする。
【００１１】
本発明は、上記地図情報システムにおいて、高度クライアントは、デシル分析、ＲＦＭ分析、重回帰分析又はハフモデルを用いた売上予測の高度分析を行うことを特徴とする。
【発明の効果】
【００１２】
本発明によれば、統計データを格納する統計データベースと、地図の画像データ、作成された地図情報を格納する地図情報データベースと、店舗情報を格納する店舗データベースと、顧客情報を格納する顧客データベースと、統計データ、顧客情報又は／及び売上情報に基づいて高度分析を行い、高度分析結果及び分析に用いた分析データをアップロードする高度クライアントと、簡易分析を依頼し、当該簡易分析結果に基づく簡易地図情報の表示が為される簡易クライアントと、高度クライアントからアップロードされた高度分析結果に基づいて地図情報データベースの地図の画像データを用いて高度地図情報を作成し、当該高度地図情報を地図情報データベースに格納すると共に、アップロードされた分析データとなる統計データ、店舗データ、顧客データを対応する統計データベース、店舗データベース及び顧客データベースに格納し、高度地図情報の格納先と高度分析に用いられた分析データとを地図情報対応テーブルに設定し、簡易分析機能を備えて簡易分析を行い、当該簡易分析結果に基づいて地図情報データベースの地図の画像データを用いて簡易地図情報を作成し、当該簡易分析に用いられた分析データから地図情報対応テーブルを参照して該当する分析データがあれば、当該分析データに対応する高度地図情報の格納先を読み取って高度地図情報を簡易クライアントに表示出力するサーバとを有する地図情報システムとしているので、簡易クライアントはサーバの簡易分析結果に基づく簡易地図情報と高度クライアントの高度分析結果に基づく高度地図情報を閲覧でき、効率的な販売戦略等の立案を行うことができる効果がある。
【００１３】
本発明によれば、高度クライアントは、高度分析に伴う高度分析コメントをサーバにアップロードし、サーバは、高度クライアントからアップロードされた高度分析コメントを地図情報対応テーブルにおける高度地図情報の格納先に対応付けて格納し、簡易クライアントに高度地図情報を表示出力する際に、高度分析コメントも表示出力する上記地図情報システムとしているので、簡易クライアントは高度クライアントでの高度分析に関するコメントを参照でき、更に効率的な販売戦略等の立案を行うことができる効果がある。
【００１４】
本発明によれば、簡易クライアントは、高度分析の結果に対して条件を設定し、サーバは、簡易クライアントから設定された条件に従って高度地図情報を作成し、簡易クライアントに作成した高度地図情報を表示出力する上記地図情報システムとしているので、簡易クライアントも高度分析の結果に対して条件設定でき、当該条件に従った高度地図情報を表示させることで、効率的な販売戦略等の立案を行うことができる効果がある。
【００１５】
本発明によれば、サーバは、簡易地図情報を作成するのに統計データベースの統計データと地図情報データベースの地図の画像データ又は／及び高度クライアントからアップロードされてデータベースに格納された分析データを利用し、高度地図情報を作成するのに高度分析結果と、統計データ、画像データ又は／及びデータベースに格納された分析データを利用する上記地図情報システムとしているので、高度分析に用いられた分析データも利用して簡易地図情報及び高度地図情報を作成でき、地図情報の精度を向上させることができる効果がある。
【発明を実施するための最良の形態】
【００１６】
本発明の実施の形態について図面を参照しながら説明する。
本発明の実施の形態に係る第１の地図情報システム（第１のシステム）は、ウェブ上で提供される簡易なＧＩＳ機能と配布されたパッケージソフトの高度なＧＩＳ機能とを連動させ、ウェブでの簡易ＧＩＳ機能による分析（簡易分析）を行いつつ、パッケージソフトの高度ＧＩＳ機能による分析（高度分析）の結果をアップロード可能とし、両分析データの関連性をウェブ側で保存し、ウェブにアクセスするクライアントで高度分析の結果を共有可能としたものである。
【００１７】
これにより、ウェブにアクセスするクライアントは、現在及び過去の簡易分析と高度分析の両分析結果を閲覧可能となり、当該エリアを商品の販売エリアとする責任者にとって、販売戦略等の立案を容易にできる。
【００１８】
本発明の実施の形態に係る第２の地図情報システム（第２のシステム）は、高度分析を行ったクライアントがその分析に対する販売戦略等の立案に関するコメントをした場合に、高度分析結果とコメントをウェブ上にアップロードし、パッケージソフトをインストールされていないクライアントからＧＩＳ Ｗｅｂサーバ１に簡易分析の要求があると、当該クライアントに簡易分析結果を表示すると共に、それに関連する高度分析結果等がアップロードされていれば、高度分析結果を閲覧可能にすると共に、コメントが関連して記憶されていれば、そのコメント内容も閲覧可能としたものである。
これにより、高度分析結果が参照可能となり、高度分析に基づく販売戦略等の立案に関するコメント内容を容易に知ることができる。
【００１９】
本発明の実施の形態に係る第３の地図情報システム（第３のシステム）は、上記第１，２のシステムとＰＯＳシステムとが連動するようにし、上記分析結果及びコメント内容、更にＰＯＳシステムから得られた実績を併せて閲覧可能としたものである。
これにより、どのような高度な分析結果に基づいて為されたコメント内容で、どのような実績が得られたのかを容易に知ることができ、分析、立案、実績を一貫して容易に把握できる。
【００２０】
尚、上記システムにおいて、重回帰分析やハフモデルを用いた売上予測機能や、テリトリー管理向けの機能等を付加することができる。
重回帰分析法は、多数のサンプル（既存店舗）を基に、理論売上を算出するための多項式（モデル式）を作り、多項式は、売上（目的変数）を構成する複数の要因（説明変数）と、それに対応する係数、定数項からなり、そして、統計的に処理することで、理論売上と実績の誤差が最少になるように、要因を取捨し、係数と定数項（切片）を決めるものである。
【００２１】
ハフモデル法とは、米国のハフ（Huff）氏が提唱した手法で、「人は、できるだけ近くて、商品力の高い店舗で購買しようとする」という前提に基づき、人々が、周辺の同業店と比べて、どれだけ自店に来店するかを、論理的に求めるものである。
【００２２】
本発明の実施の形態に係る地図情報システムについて図１を参照しながら説明する。図１は、本発明の実施の形態に係る地図情報システムの構成ブロック図である。
本発明の実施の形態に係る地図情報システム（本システム）は、図１に示すように、ＧＩＳ Ｗｅｂサーバ１と、それに接続する統計データベース（統計ＤＢ）２、地図情報データベース（地図情報ＤＢ）３及び店舗データベース・顧客データベース（店舗ＤＢ・顧客ＤＢ）４と、インターネットを介してＧＩＳ Ｗｅｂサーバ１に接続するクライアント５，９と、クライアント５に接続する顧客管理システム６と、顧客管理システム６に接続する顧客マスタデータベース（顧客マスタＤＢ）７及びＰＯＳデータベース（ＰＯＳ ＤＢ）８とを基本的に有している。
尚、複数のクライアント５、９が、インターネットを介してＧＩＳ Ｗｅｂサーバ１に接続するようになっている。
【００２３】
次に、本システムの各部を具体的に説明する。
ＧＩＳ Ｗｅｂサーバ１は、統計ＤＢ２に格納された統計データとクライアント９から入力されたデータを基に簡易ＧＩＳ機能を用いて分析して簡易地図情報を作成し、クライアント９に表示出力すると共に、クライアント５からアップロードされた統計データと高度地図情報（高度ＧＩＳ機能を用いて分析して作成された地図情報）を統計ＤＢ２と地図情報ＤＢ３に格納し、高度分析に基づくコメント（高度分析コメント）も高度地図情報と関連付けて地図情報ＤＢ３に記憶する。
【００２４】
統計ＤＢ２は、統計情報を格納するデータベースである。統計情報としては、行政庁がまとめた公的な統計データと、クライアント５でまとめられた（高度分析によってまとめられた分析データを含む）私的な統計データとがある。
【００２５】
地図情報ＤＢ３は、クライアント５からアップロードされた高度地図情報について地図情報識別子（地図情報ＩＤ）及び作成者識別子（作成者ＩＤ）に関連付けて記憶し、更に高度分析コメントも関連付けて記憶する。
尚、地図情報ＤＢ３は、地図の画像データも記憶する。この地図の画像データは、他のデータベースに格納するようにしてもよい。
【００２６】
店舗ＤＢ・顧客ＤＢ４は、クライアント５からインターネットを介して送信された店舗に関する情報及び顧客に関する情報を格納するデータベースである。この店舗ＤＢ・顧客ＤＢ４に格納されるデータは、顧客管理システム６で分析された顧客及び店舗に関するデータであって、クライアント９と情報共有するためのものである。
【００２７】
クライアント（高度クライアント）５は、ＧＩＳパッケージアプリケーション（高度ＧＩＳ機能を実現するソフトウェア）をインストールしており、ＧＩＳ Ｗｅｂサーバ１から統計データと地図の画像データを取得して、当該高度ＧＩＳ機能を用いて分析を行い、高度地図情報を表示する。
【００２８】
尚、クライアント５は、統計ＤＢ２の統計データだけでなく、内部で記憶する統計データをも用いて高度地図情報の表示を行うものである。
そして、クライアント５は、作成した高度地図情報及び高度分析コメントをインターネット経由でＧＩＳ Ｗｅｂサーバ１に送信（アップロード）する。
【００２９】
従って、クライアント５は、地図情報等を表示する表示部と、ＧＩＳパッケージアプリケーションを記憶する記憶部と、詳細ＧＩＳ機能を実現して詳細地図情報を作成する制御部と、コメント等を入力する入力部とを備えるものである。
【００３０】
また、図１に示すように、クライアント５を複数インターネットに接続させ、１つの顧客管理システム６を共有させるようにしてもよい。この場合、一方のクライアント５で高度分析された結果がＧＩＳ Ｗｅｂサーバ１に保持されているため、他方のクライアント５はその結果を参照でき、他方のクライアント５における更なる高度分析によってデータ分析の精度を向上させることが可能となる。
【００３１】
顧客管理システム６は、ＳＦＡ（Sales Force Automation：営業支援自動化）及びＣＲＭ（Customer Relationship Management：顧客関係管理）の機能を実現するコンピュータで、顧客マスタＤＢ７及びＰＯＳ ＤＢ８のデータを用いて実現される。
ここで、ＳＦＡとは、営業前線の営業ノウハウや営業情報を共有し、プレゼンテーションの資料作成・情報共有など、情報武装化のための支援環境を事業として構築するためのシステムの総称をいう。
また、ＣＲＭは、顧客データと基幹データベースを統合化し、マーケティングや受発注手続を効率化する手法である。
【００３２】
顧客マスタＤＢ７は、クライアント５のユーザの顧客情報を記憶するデータベースである。顧客情報として、顧客ＩＤ（識別子）に対して、顧客の氏名、住所、年齢、性別、家族構成等が管理されている。
【００３３】
ＰＯＳ ＤＢ８は、クライアント５のユーザが店舗経営者である場合に、その店舗の売上（顧客の購入商品、購入額等のデータも含む）等のデータを記憶するデータベースである。
【００３４】
クライアント（簡易クライアント）９は、ＧＩＳ Ｗｅｂサーバ１にネットワークを介して接続し、ＧＩＳパッケージアプリケーションがインストールされていないコンピュータで、ブラウザ機能によりＧＩＳ Ｗｅｂサーバ１で作成された簡易地図情報を表示する。
また、クライアント９は、簡易地図情報を表示すると共に、地図情報ＤＢ３に格納されたクライアント５で作成された高度地図情報、高度分析コメントを表示する。
【００３５】
クライアント９は、クライアント５からアップロードされた分析用のデータが統計ＤＢ２、店舗ＤＢ・顧客ＤＢ４に格納されていれば、その分析用のデータを用いて簡易分析を行い、それら分析用のデータを基にして簡易地図情報を表示する処理を行う。
【００３６】
また、クライアント９は、クライアント５で作成された高度地図情報を参照する場合に、高度分析結果に対する条件を入力することができる。但し、その条件とは、高度分析結果を更に限定するためのものとなっている。これにより、クライアント９は、クライアント５が分析した結果を更に任意に加工して高度地図情報として表示できるものである。
【００３７】
ここで、簡易ＧＩＳ機能とは、位置情報をキーとして標準的な（限定的な）情報を管理・統合し、地図情報として視覚化する機能であり、ＧＳＩ Ｗｅｂサーバ１によって、クライアント９から入力されるデータに基づいて分析し、統計ＤＢ２に格納された統計データと地図情報ＤＢ３に格納された地図の画像データを用いて地図情報（簡易地図情報）として表示する機能である。尚、簡易地図情報において、統計データが必要なければ、統計ＤＢ２の統計データを使用しないで簡易地図情報を作成する。
【００３８】
また、高度ＧＩＳ機能とは、位置情報をキーとして様々な（広範囲の）情報を管理・統合し、地図情報として視覚化する機能であり、クライアント５のＧＳＩパッケージアプリケーションによって、クライアント５が顧客管理システム６を動作させて顧客情報及びＰＯＳデータを用いてデシル又はＲＦＭ（Recency Frequency Monetary）等の高度分析を行い、更に統計ＤＢ２に格納された統計データと地図情報ＤＢ３に格納された地図の画像データを用いて地図情報（高度地図情報）として表示する機能である。
ＲＦＭにおけるＲ（Recency）は、顧客の最新購入日であり、Ｆ（Frequency）は、顧客の購入頻度であり、Ｍ（Monetary）は、顧客の購入総額をいい、この過去の購入実績に基づいて分析を行うものである。
【００３９】
次に、本システムのＧＩＳ Ｗｅｂサーバ１の構成について図２を参照しながら説明する。図２は、本発明の実施の形態に係るＧＩＳ Ｗｅｂサーバの構成ブロック図である。
本システムのＧＩＳ Ｗｅｂサーバ１は、図２に示すように、入力部１１と、出力部１２と、制御部１３とを基本的に有している。
【００４０】
ＧＩＳ Ｗｅｂサーバ１の各部の構成について説明する。
入力部１１は、インターネットを介してクライアント５又はクライアント９から入力されるデータを制御部１３に入力する。
出力部１２は、制御部１３で処理されたデータ（情報）をインターネット経由でクライアント５又はクライアント９に出力する。
【００４１】
制御部１３は、地図情報作成・表示手段１３ａと、地図情報記憶制御手段１３ｂと、簡易ＧＩＳ分析手段１３ｃとを基本的に備えている。
地図情報作成・表示手段１３ａは、簡易ＧＩＳ分析手段１３ｃによる簡易分析結果に基づいて、簡易地図情報を作成してクライアント９に表示出力する。具体的には、地図情報ＤＢ３から地図の画像データを取得し、統計ＤＢ２から統計データを取得して、地図の画像データ上に統計データを配置することで、簡易地図情報が作成される。
【００４２】
また、地図情報作成・表示手段１３ａは、クライアント５からアップロードされた高度分析結果に基づいて、高度地図情報を作成してクライアント５又はクライアント９に表示出力する。クライアント９としては、定期的に高度分析が為され、高度地図情報が作成されることを知っていれば、当該高度地図情報の表示を直接に要求することで、高度地図情報の閲覧が可能となる。
地図情報を作成するに際して、地図情報ＤＢ３の地図の画像データを用い、必要であれば、統計ＤＢ２の統計データ又はクライアント５からアップロードされた統計データを用いる。
【００４３】
更に、地図情報作成・表示手段１３ａは、クライアント９に表示出力された簡易地図情報について関連分析情報表示の指示要求がクライアント９からあると、簡易分析に用いられたデータから、地図情報ＤＢ３の地図情報対応テーブルの関連分析データを参照して該当する地図情報ＩＤの高度地図情報を読み込み、高度分析に基づく高度図情報を表示し、高度分析コメントがあれば地図情報対応テーブルから取得してクライアント９に表示出力する。
【００４４】
また、地図情報作成・表示手段１３ａは、高度地図情報が表示されたクライアント９から高度分析に関する条件（限定的条件）の入力があると、その条件に応じた高度地図情報の表示をクライアント９に行う。
【００４５】
地図情報記憶制御手段１３ｂは、クライアント５からアップロードされた高度分析結果に基づいて地図情報作成・表示手段１３ａで作成された高度地図情報について地図情報ＤＢ３の地図情報対応テーブルを作成し、その高度地図情報を地図情報ＤＢ３に格納すると共にその格納アドレスを地図情報対応テーブルに記憶するものである。
【００４６】
また、地図情報記憶制御手段１３ｂは、クライアント５からアップロードされた分析対象となった店舗情報と顧客情報を店舗ＤＢ・顧客ＤＢ４に記憶すると共に、地図情報対応テーブルに分析対象となったデータの内、キーとなるデータを関連分析データとして高度地図情報に関連付けて格納する。
ここで、キーとなるデータとは、分析対象となった店舗のデータ、顧客のデータ、期間のデータであり、その期間における店舗の売上のデータ、顧客の購入額のデータは店舗ＤＢ・顧客ＤＢ４に格納されることになる。
【００４７】
また、地図情報記憶制御手段１３ｂは、クライアント５からアップロードされた統計情報（高度分析に用いられた統計情報）を統計ＤＢ２に記憶すると共に、地図情報対応テーブルに分析に用いられたデータの内、キーとなるデータを関連分析データとして高度地図情報に関連付けて格納する。キーとなるデータは、統計情報の内容を示すデータとなる。
【００４８】
また、地図情報記憶制御手段１３ｂは、クライアント５からアップロードされた高度分析コメントを対応する高度地図情報に関連するよう地図情報対応テーブルに書き込む。
尚、クライアント９からの要求により簡易地図情報が作成されただけで、クライアント５から高度地分析結果がアップロードされていなければ、地図情報記憶手段１３ｂは、地図情報対応テーブルを作成しない。つまり、クライアント５から高度分析結果がアップロードされると、簡易地図情報が作成されていなくても、高度地図情報を作成し、地図情報対応テーブルが作成されるものである。
【００４９】
簡易ＧＩＳ分析手段１３ｃは、クライアント９から簡易分析の要求があると、単純な分布等を行うための分析を行い、簡易分析結果を地図情報作成・表示手段１３ａに出力する。
尚、簡易分析とは、ＧＩＳパッケージアプリケーションによるデシル分析、ＲＦＭ分析等のシミュレーションによる高度分析を含まない、もっと単純な分析のことである。
また、簡易分析に統計ＤＢ２における統計データを利用する場合は、当該統計データを用いて簡易分析を行うものである。
【００５０】
次に、地図情報ＤＢ３について図３を参照しながら具体的に説明する。図３は、本発明の実施の形態に係る地図情報ＤＢ３の一部の概略構成図である。
地図情報ＤＢ３に格納される地図情報対応テーブルは、地図情報ＩＤ毎に高度地図情報のデータ（高度地図情報データ）を記憶する。
【００５１】
地図情報対応テーブルにおける記憶項目は、「地図情報ＩＤ」「地図情報名」「作成日」「作成者ＩＤ」「関連分析データ」「高度地図情報アドレス」「高度分析コメント」等となっており、それらの項目に情報が記載されている。
【００５２】
地図情報ＩＤとは、高度地図情報及び関連する情報を管理するための識別子（ＩＤ）であり、制御部１３が付与するものである。
地図情報名は、クライアント５を操作するユーザが任意に決定して付与するものである。
作成日は、当該地図情報対応テーブルを作成した日のデータであり、作成日時のデータであってもよい。このデータも制御部１３が付与するものである。
作成者ＩＤとは、当該地図情報対応テーブルを作成したユーザの識別子（ＩＤ）である。ユーザＩＤは、クライアント５に対応して制御部１３が管理しており、制御部１３が付与するものである。
【００５３】
関連分析データとは、ＧＩＳ分析を行う際に用いられた分析対象のデータの内、キーとなるデータである。具体的には、分析対象の店舗のデータ、顧客のデータ、期間のデータ等が含まれ、当該期間の店舗の売上、顧客の購入に関する具体的データは店舗ＤＢ・顧客ＤＢ４に格納することとし、地図情報対応テーブルには記憶しないようにしておく。
この関連分析データが、ＧＩＳ Ｗｅｂサーバ１で作成された簡易地図情報に関連する高度地図情報を容易に検索可能とするものである。
【００５４】
高度地図情報アドレスとは、高度地図情報データが格納されている格納先（アドレス）を示している。
高度分析コメントとは、高度地図情報が作成された際に行った高度分析に対してユーザが記述する項目である。この高度分析コメントには、販売戦略等の立案に関するコメントも含まれる。
【００５５】
次に、本システムにおける動作を説明する。
まず、ＧＩＳ Ｗｅｂサーバ１の機能を利用するユーザは、利用のための登録（初期登録）が必要である。この初期登録によって、ユーザには、ユーザＩＤとパスワードが定められ、ユーザＩＤとパスワードがＧＩＳ Ｗｅｂサーバ１のユーザデータベース（図示せず）に格納される。
【００５６】
そして、クライアント５，９からユーザがＧＩＳ Ｗｅｂサーバ１にアクセスする際には、当該ユーザＩＤとパスワードによってログインする。つまり、ログインの際に、ユーザはシステムからユーザＩＤとパスワードを要求され、その要求に応じて入力されたユーザＩＤとパスワードが真正であれば、ログインが許可されるものである。
【００５７】
クライアント５のユーザは、ＧＩＳパッケージアプリケーションの高度ＧＩＳ機能により顧客管理システム６を動作させて顧客データ、店舗データ、ＰＯＳデータに関する分析（高度分析）を行う。
クライアント５のユーザは、ＧＩＳ Ｗｅｂサーバ１にログインし、ログインが許可されると、高度分析結果をＧＩＳ Ｗｅｂサーバ１にアップロードする。
【００５８】
すると、ＧＩＳ Ｗｅｂサーバ１の地図情報作成・表示手段１３ａは、統計ＤＢ２の統計データ又はクライアント５からアップロードされた統計データ、地図情報ＤＢ３の地図の画像データを用いて高度分析結果に基づく高度地図情報を作成してクライアント５に表示出力する。高度地図情報の作成に、統計ＤＢ２の統計データを必要としない場合は、高度分析結果と地図情報ＤＢ３の地図の画像データで高度地図情報を作成することになる。
そして、ＧＩＳ Ｗｅｂサーバ１の地図情報記憶制御手段１３ｂは、地図情報対応テーブルを作成し、地図情報ＩＤ等のデータを入力し、作成した高度地図情報を地図情報ＤＢ３に格納すると共にその格納アドレスを地図情報対応テーブルに記憶する。
【００５９】
そして、クライアント９は、ＧＩＳ Ｗｅｂサーバ１にログインし、ログインが許可されると、ユーザが特定したデータについて、ＧＩＳ Ｗｅｂサーバ１の制御部１３における簡易ＧＩＳ分析手段１３ｃを用いて簡易ＧＩＳ機能により分析（簡易分析）を行い、その簡易分析結果に基づいて地図情報作成・表示手段１３ａが簡易地図情報を作成してクライアント９の表示部に表示出力する。
【００６０】
更に、ＧＩＳ Ｗｅｂサーバ１は、簡易地図情報の表示に際して、簡易分析のデータに関連する分析データで高度分析が為されている場合には、図４に示すように、「関連情報有り」の表示及び関連情報についての更新情報を表示する。図４は、本発明の実施の形態に係るクライアント９での表示例を示す説明図である。
そして、クライアント９で「関連情報有り」がクリックされると、図５に示すように、ＧＩＳ Ｗｅｂサーバ１は、地図情報対応テーブルを参照して高度地図情報をクライアント９に表示出力する。図５は、本発明の実施の形態に係るクライアント９での表示例を示す説明図である。
更に、その高度地図情報に関連して高度分析コメントがあれば、ＧＩＳ Ｗｅｂサーバ１は、高度分析コメントも表示出力する。
【００６１】
尚、クライアント９からも高度情報地図を閲覧した場合は、その内容についてコメントを送信できる。この場合、図３の地図情報対応テーブルにクライアント９からのコメントを格納するエリアを設けて当該コメントを格納し、他のクライアントからの高度地図情報の関連情報の閲覧が入力されると、地図情報対応テーブルに格納したクライアント９のコメントを表示する。
【００６２】
次に、上記における地図情報対応テーブルの作成処理及び高度地図情報の登録処理を説明する。
具体的には、クライアント５から高度分析結果がＧＩＳ Ｗｅｂサーバ１にアップロードされると、地図情報作成・表示手段１３ａは高度地図情報を作成し、クライアント５に表示出力し、地図情報記憶制御手段１３ｂは、当該高度分析結果に基づく地図情報対応テーブルを作成し、地図情報ＩＤ、地図情報名、作成日、作成者ＩＤ、関連分析データ、高度地図情報アドレス、高度分析コメントの設定を行う。
【００６３】
地図情報記憶制御手段１３ｂは、地図情報ＩＤ、作成日を自動的に地図情報対応テーブルに設定するものであり、作成者ＩＤはクライアント５から取得して、地図情報名はクライアント５が特定したものを設定する。
また、関連分析データは、高度分析に用いられたキーとなるデータを地図情報記憶制御手段１３ｃが選択して地図情報対応テーブルに設定する。
【００６４】
高度分析コメントは、クライアント５から高度分析結果に対応するものがアップロードされれば、地図情報記憶制御手段１３ｂは、そのコメント内容を地図情報対応テーブルに設定する。
また、高度地図情報が作成され、地図情報ＤＢ３に格納されると、地図情報記憶制御手段１３ｂは、その高度地図情報の格納アドレスを地図情報対応テーブルに設定する。
このようにして、地図情報対応テーブルの作成処理及び高度地図情報の登録処理が為される。
【００６５】
例えば、広域に店舗展開する小売業（スーパーマーケット等）について考えると、スーパーマーケットの本部がクライアント５を用いて高度分析を行い、その高度分析結果に基づく高度地図情報をＧＩＳ Ｗｅｂサーバ１にアップロードし、特定エリアのスーパーマーケットの店長がクライアント９を用いてＧＩＳ Ｗｅｂサーバ１に簡易分析を行わせ、高度分析に基づく高度地図情報がＧＩＳ Ｗｅｂサーバ１にアップロードされていれば、高度地図情報も閲覧可能となり、クライアント５から高度分析コメントがアップロードされていれば、高度分析コメントも閲覧でき、そのエリアにおける販売戦略等の立案を容易に行うことができるものである。
尚、これら地図情報を特定期間保存することにより、特定期間における分析結果、比較結果が閲覧可能となり、長期的な販売戦略等の立案を容易に行うことができる。
【００６６】
また、本システムにおいて、ＰＯＳ ＤＢ８と連動させ、クライアント５が顧客管理システム６を介してＰＯＳ ＤＢ８におけるＰＯＳデータの集計結果を利用可能とすることで、簡易分析による簡易地図情報、高度分析による高度地図情報、高度分析コメントを閲覧可能とすることができ、簡易分析の簡易地図情報に対して売上等の実績に対応した高度分析の高度地図情報を表示でき、その実績に基づく高度分析コメントも提供できる。
【００６７】
本システムによれば、ＧＩＳ Ｗｅｂサーバ１の簡易ＧＩＳ機能によって簡易分析を行って簡易地図情報を作成し、クライアント５の高度ＧＩＳ機能によって高度分析を行って高度地図情報を作成し、高度地図情報を地図情報対応テーブルで管理し、高度分析コメントも対応付けて記憶するようにしているので、簡易地図情報と高度地図情報、高度分析コメントも参照でき、効率的な販売戦略等の立案を行うことができる効果がある。
【００６８】
本システムによれば、クライアント５を本店に配置し、クライアント９を支店に配置することで、顧客データ及び店舗の売上等のデータを共有でき、クライアント５では、高度分析結果に基づく、例えば、店舗のクラス分け、顧客のカテゴリ分け、分析データの更新等を行い、クライアント９では、上記分析結果及び更新データを閲覧できる。
尚、クライアント９でも店舗又は顧客の属性を訂正する更新が可能である。
【００６９】
本システムによれば、クライアント５では、高度分析のシミュレーションを行うことができ、ハフモデル分析、デシル分析、ＲＦＭ分析、売上予測、相関分析、重回帰分析等の高度分析結果をＧＩＳ Ｗｅｂサーバ１にアップロードできるので、クライアント９では、高度分析されていれば、それら分析結果を閲覧でき、また、分布地図を色分け表示して、対象地域の顧客リストを出力する等の簡易分析を実現できるものである。
【００７０】
本システムによれば、クライアント５が高度分析結果をＧＩＳ Ｗｅｂサーバ１にアップロードするので、クライアント９では、簡易分析結果から高度分析結果に基づく高度地図情報を表示出力するので、分析結果の共有を容易に行うことができる。
【００７１】
また、本システムでは、クライアント９から高度分析結果に対して、期間を限定したり、数値を限定したりする条件入力を可能としているので、クライアント５で為された高度分析結果に対して当該条件に基づき限定的な分析結果を得ることができ、クライアント９として必要な分析結果に基づく高度地図情報を閲覧できる効果がある。
【産業上の利用可能性】
【００７２】
本発明は、簡易な分析を行い、更に、パッケージソフトのＧＩＳ機能を用いて高度分析が為されていれば、その高度分析結果を関連情報としてウェブ上で提供し、両方の分析結果を比較可能とした地図情報システムに適している。
【図面の簡単な説明】
【００７３】
【図１】本発明の実施の形態に係る地図情報システムの構成ブロック図である。
【図２】本発明の実施の形態に係るＧＩＳ Ｗｅｂサーバの構成ブロック図である。
【図３】本発明の実施の形態に係る地図情報ＤＢ３の一部の概略構成図である。
【図４】本発明の実施の形態に係るクライアント９での表示例を示す説明図である。
【図５】本発明の実施の形態に係るクライアント９での表示例を示す説明図である。
【符号の説明】
【００７４】
１…ＧＩＳ Ｗｅｂサーバ、  ２…統計ＤＢ、  ３…地図情報ＤＢ、  ４…クライアント、  １１…入力部、  １２…出力部、  １３…制御部、  １３ａ…地図情報作成・表示手段、  １３ｂ…地図情報記憶制御手段、  １３ｃ…簡易ＧＩＳ分析手段
【図１】
2005107103.tif 000003
【図２】
2005107103.tif 000004
【図３】
2005107103.tif 000005
【図４】
2005107103.tif 000006
【図５】
2005107103.tif 000007